(57)【要約】      （修正有） 【課題】排気装置内に残留・蓄積した不要物を簡単に除去できる排気装置を提供する。【解決手段】本排気装置は、エンジンから放出される排ガスが導入されるマフラー１の外郭に排水ドレン５と清掃孔蓋４を備えた構成の排気装置である。清掃手段からポンプ等で加圧された水又は溶剤を含む液体又は圧縮空気を噴射ノズルを使用して噴射・清掃することができるので、排気装置を車体から取り外すことなく内部の洗浄を可能とする。【選択図】  図１
0003167756.tif 000002
【実用新案登録請求の範囲】
【請求項１】
マフラーの外郭となる体腔に該マフラーの内部を清掃する清掃手段を備えたことを特長とする排気装置。
【請求項２】
前記清掃手段は、前記マフラーの外郭となる体腔の下面に備えられたドレンと該マフラーの外郭となる体腔下面を除く部位に備えられた清掃窓とからなることを特長とする請求項１記載の排気装置。
【請求項３】
前記前記清掃手段は、前記マフラーの外郭となる体腔下面に備えられた清掃窓であることを特長とする請求項１記載の排気装置。
【考案の詳細な説明】
【技術分野】
【０００１】
本考案は排気装置に関し、特にガソリン、軽油、重油を使用する内燃機関の排気装置内に残留・蓄積するカーボンや硫黄分等の固形物を除去し易い構造の排気装置である。
【背景技術】
【０００２】
内燃機関の排気ガス浄化対策は、燃焼室内における燃焼条件の最適化によることと、その排気される燃焼ガスに含まれるカーボンや硫黄分等を含む不要物の捕獲除去を行うことによってなされている。
【０００３】
近年、燃焼室における燃焼効率の最適化技術の向上は顕著である。このことに伴って、排気装置側での不要物の捕獲除去対策の役割が低くなっている。しかし、発進時、加速時、坂道走行などからマフラー（消音装置）内に不要物が時間の経過と共に気がつかない内に徐々に残留・蓄積している。そして、時としてこの残留・蓄積した不要物が外部に排出されることがある（例えば、このようなことが車検時に重なれば、排気ガス検査で不合格になってしまう場合もあった）。
【０００４】
マフラー内の燃焼ガス浄化策として、マフラー内に木炭微粉及び粘土を主成分としたセラミックス粒子が触媒として充填されていて、排気ガス中の有害物質を除去するものがある（例えば、特許文献１参照）。また、マフラーが消音用の膨張室を備え、単に消音機能のみで構成されているものもある。
これらの、何れの場合にあっても運転時間がたつにつれて知らず知らずのうちにマフラー内に不要物が残留・蓄積してしまうという問題があった。この知らず知らずのうちに溜まってしまった不要物を除去するにはマフラーを車体から外して掃除をしなければならず、この作業は大掛かりなもので、手間、暇、費用がかかるという欠点があった。
【先行技術文献】
【特許文献】
【０００５】
【特許文献１】実開平０６−７２６２８号公報
【考案の概要】
【考案が解決しようとする課題】
【０００６】
本考案は、上記欠点に鑑みてなされたもので、排気装置内に残留・蓄積した不要物を簡単に除去できる排気装置を提供することを目的としている。
【課題を解決するための手段】
【０００７】
上記目的を達成するために、本考案に係わる排気装置は、エンジンから放出される排ガスが導入されるマフラーの外殻となる体腔に該マフラーの内部を清掃する清掃手段を備えた構成の排気装置である。
【考案の効果】
【０００８】
以上の構成からなる本考案の排気装置にあっては、清掃手段からポンプ等で加圧された水又は溶剤を含む液体又は圧縮空気を噴射ノズルを使用して噴射・清掃することができるので、排気装置を車体から取り外すことなく内部の洗浄を可能とする。
【図面の簡単な説明】
【０００９】
【図１】実施例１の全体図
【図２】実施例１の断面図
【図３】実施例１の使用状態の説明図
【図４】実施例２の断面図
【図５】実施例３の断面図
【図６】実施例４の断面図
【図７】実施例５の断面図
【考案を実施するための形態】
【００１０】
以下に、実施の形態を図に基づいて説明する。
【実施例】
【００１１】
第１の実施例を、図１ないし図３に基づいて説明する。図において１は本考案のマフラー（排気装置）である。２はマフラー１の外郭となる体腔で、中心にある中央パイプ３を体腔前壁２１、体腔仕切壁２２、及び体腔後壁２３で固定して、体腔２と中央パイプ３との間に消音室となる第一の膨張室１１と第二の膨張室１２とを形成している。
【００１２】
夫々の膨張室１１，１２内に位置する中央パイプ３には、中央パイプ仕切壁３２を挟んで両側に所定の数の通気孔３３が設けられている。また、第一の膨張室１１の上流部には内燃機関から導出されている排気燃焼ガスの導管に接続される中央パイプ入口側フランジ３１が設けられている。また、第二の膨張室１２の下流方向にはマフラー１から大気に向かって排気燃焼ガスを放出する中央パイプ排気口３４が設けられている。
【００１３】
体腔２の夫々の膨張室１１，１２には、夫々の膨張室を清掃するための清掃孔２４とこの清掃孔２４の開閉用の清掃孔蓋４及び排水ドレン５が設けられている。
【００１４】
このように構成されたマフラー内では、内燃機関から導出されている排気燃焼ガスが中央パイプ入口側フランジ３１部から矢印Ｘで示すように流れ、第一の膨張室１１のゾーンで中央パイプ仕切壁３２で進路を塞がれて中央パイプ通気孔３３から第一の膨張室１１に流れ込み、この第一の膨張室１１に流れ込んだ排気ガスは体腔仕切壁２２で進路を塞がれて中央パイプ仕切壁３２の下流側の中央パイプ通気孔３３に流れ込む。この流れ込んだ排気ガスは、続いて、第二の膨張室１２ゾーンでも同様にして流れて最終的に中央パイプ排気口３４から外部に排出される。
【００１５】
以上のような排気ガスの流れの中で、排気ガス中の微小な不要物が第一、第二膨張室の内壁および中央パイプ内外壁に僅かずつ蓄積・滞留してしまう。
【００１６】
図３はマフラー１の清掃時を示す断面斜視図であり、第一、第二膨張室１１，１２の内壁および中央パイプ３の内外壁に僅かずつ蓄積・滞留してしまった排気ガス中の微小な不要物を高圧噴射ノズルから液体（水又は溶剤を含む溶液）を噴射して除去し排水ドレンから排出している状態を示している。
【００１７】
次に、図４、図５、図６、図７に示す本考案を実施するための異なる実施例につき説明する。なお、これらの説明に当たって第一の実施例と同一構成部分には同一符号を付して重複する説明を省略する。
【００１８】
図４に示す第二の実施例において、前記第一の実施例と異なる点は、体腔清掃孔２４と清掃孔蓋４とを体腔仕切壁２２を挟んで隣同士に設けると共に清掃孔蓋４を一体に形成して構成したものであり、このように構成したものにあっても前記第一の実施例と同様な作用効果を有する。
【００１９】
図５に示す第三の実施例において、前記第一の実施例と異なる点は、体腔清掃孔２４と清掃孔蓋４とを体腔前壁２１および体腔後壁２３に設けて構成したものであり、このように構成したものにあっても前記第一の実施例と同様な作用効果を有する。
【００２０】
図６に示す第四の実施例において、前記第一の実施例と異なる点は、体腔清掃孔２４と清掃孔蓋４とが体腔の下面に設けられたものである。このことによって排水ドレン５を別途設ける必要がない。このように構成したものであっても前記第一の実施例と同様な作用効果を有する。
【００２１】
図７に示す第五の実施例において、前記第四の実施例と異なる点は、体腔清掃孔２４と清掃蓋４とを体腔仕切壁２２を挟んで隣同士に設けると共に清掃孔蓋４を一体に形成して構成したものであり、このように構成したものにあっても前記第四の実施例と同様な作用効果を有する。
【００２２】
なお、体腔２に取り付ける清掃孔蓋４および排水ドレン５の構造は、車体の振動を考慮して脱落、緩みのない既知の構造の何れを使用することをも妨げない。
【産業上の利用可能性】
【００２３】
本考案は、マフラーを製造する産業で利用される。
【符号の説明】
【００２４】
１、マフラー（排気装置）  １１、第一の膨張（消音）室    
１２、第二の膨張（消音）室  
２、体腔    ２１、体腔前壁    ２２、体腔仕切壁    ２３、体腔後壁  
２４、体腔清掃孔
３、中央パイプ            ３１、中央パイプ入口側フランジ
３２、中央パイプ仕切壁    ３３、中央パイプ通気孔    ３４、中央パイプ排気口
４、清掃孔蓋      ５、排水ドレン。
【図１】
0003167756.tif 000003
【図２】
0003167756.tif 000004
【図３】
0003167756.tif 000005
【図４】
0003167756.tif 000006
【図５】
0003167756.tif 000007
【図６】
0003167756.tif 000008
【図７】
0003167756.tif 000009
【手続補正書】
【提出日】平成23年3月3日(2011.3.3)
【手続補正１】
【補正対象書類名】実用新案登録請求の範囲
【補正対象項目名】全文
【補正方法】変更
【補正の内容】
【実用新案登録請求の範囲】
【請求項１】
マフラーの外郭となる体腔に該マフラーの内部を清掃する清掃窓とドレンとを備えとことを特徴とする排気装置。  
【請求項２】
マフラーの外郭となる体腔の下面にドレンを備え、前記体腔の下面を除く部位に清掃窓を備えたことを特徴とする排気装置。
【請求項３】
マフラーの外郭となる体腔の下面に該マフラーの内部を清掃する清掃窓を備えたことを特徴とする排気装置。
【手続補正２】
【補正対象書類名】明細書
【補正対象項目名】０００７
【補正方法】変更
【補正の内容】
【０００７】
上記目的を達成するために、本考案に係わる排気装置は、エンジンから放出される排ガスが導入されるマフラーの外郭となる体腔に該マフラーの内部を清掃する清掃窓とドレンとを備え構成の排気装置である。
【手続補正３】
【補正対象書類名】明細書
【補正対象項目名】０００８
【補正方法】変更
【補正の内容】
【０００８】
以上の構成からなる本考案の排気装置にあっては、清掃窓からポンプ等で加圧された水又は溶剤を含む液体又は圧縮空気を噴射ノズルを使用して噴射・清掃し、ドレンを介して排水することができるので、排気装置を車体から取り外すことなく内部の洗浄を可能とする。